(57)【要約】【課題】鍵３からウィッペン８まで離間距離が大きく異なっても、キャプスタン７を構成する部材を変更することなく、キャプスタン７がウィッペン８に当接するように、鍵６からウィッペン７の頂部までの距離を容易に調整できるピアノのアクション１を提供する。【解決手段】キャプスタン７は、鍵６に固定されて立設する立設部材７ａと、立設部材７ａの上部に付設されてウィッペン８に当接する当接部材７ｂとを備え、鍵６から当接部材７ｂまでの立設部材７ａの長さを調整できる長さ調整機構２０を備える。立設部材７ａはナット２２、２３及び固定板２１を介して鍵６に固定され、長さ調整機構２０はナット２２、２３と立設部材７ａとの螺合位置を変えることにより、鍵６から当接部材７ｂまでの立設部材７ａの長さを調整できるように構成されている。【選択図】図１
2005091588.tif 000002
【特許請求の範囲】
【請求項１】
複数の鍵が揺動する支点を境に演奏側とは反対側において、各鍵毎に固定され鍵と共に揺動するキャプスタンと、該キャプスタンの上部に配設され、該キャプスタンに突き上げられてハンマーを回動させるウィッペンとを備え、該ハンマーによって弦を打弦するピアノのアクションであって、
前記キャプスタンは、前記鍵に固定されて立設する立設部材と、該立設部材の上部に付設されて前記ウィッペンに当接する当接部材とを備え、
前記鍵から前記当接部材までの立設部材の長さを調整できる長さ調整手段を備える、
ことを特徴とするピアノのアクション。
【請求項２】
前記立設部材は、
断面円形の長尺部材からなり、外周面には当該立設部材の長さ方向に沿って形成されたネジ部を有し、しかも、該ネジ部に螺合したナットを介して前記鍵に固定されており、
前記長さ調整手段は、
前記ナットと前記立設部材との螺合位置を変えることにより、該鍵から前記当接部材までの該立設部材の長さを調整できるように構成されている、
ことを特徴とする請求項１に記載のアクション。
【請求項３】
前記当接部材と前記鍵との間には、前記立設部材が挿通する貫通孔を備えたガイド板が配置され、
前記立設部材が前記ガイド板の前記貫通孔に挿通されることにより、前記当接部材が前記ウィッペンに対して位置決めされている、
ことを特徴とする請求項１又は請求項２に記載のアクション。
【請求項４】
前記立設部材は、曲げ方向に弾性を有するフレキシブルケーブルである、
ことを特徴とする請求項３に記載のアクション。
【発明の詳細な説明】
【技術分野】
【０００１】
本発明は、ウィッペンを介してピアノの鍵に連結されハンマーを回動するピアノのアクションに関する。
【背景技術】
【０００２】
従来、ピアノのアクションは、鍵の上面に連結されたキャプスタンによって、ウィッペンが突き上げられて上昇し、ハンマーを回動するように構成されている。
また、キャプスタンは、一般に、鍵の上面からキャプスタンの頂部までの距離が調整できるように構成されている。例えば、キャプスタンは、軸の長さ方向に螺旋状のネジが形成されたスクリュー棒と、このスクリュー棒の一端側に螺合するネジ穴部を備えたキャプスタンボタンとによって構成され、スクリュー棒の他端側が鍵に埋め込まれて固定されてスクリュー棒の一端側にキャプスタンボタンが螺合され、キャプスタンボタンの頂部がウィッペンに当接するように、鍵に取り付けられる。そして、キャプスタンは、キャプスタンボタンを回転させることによって、キャプスタンボタンをスクリュー棒の軸方向に沿って上下に移動させ、鍵の上面からキャプスタンボタンの頂部までの距離を調整できるように構成されている。
【０００３】
また、キャプスタンは、曲げ変形可能なプレートで構成され、プレートの一端部が鍵に固定され、プレートの他端側にウィッペンに当接する当接部を備え、プレートを変形させることによって、鍵の上面からウィッペンとの当接部までの距離を調整できるように構成されているものがある（例えば、特許文献１参照）。
【特許文献１】特開平８−３０５３４８号公報（第２−３頁、第１−４図）
【発明の開示】
【発明が解決しようとする課題】
【０００４】
しかしながら、従来例のように、キャプスタンボタンを回転させることによって、キャプスタンボタンをスクリュー棒の軸方向に沿って上下に移動させる構成によれば、キャプスタンボタンが上下に移動できる距離が、キャプスタンボタンに形成されたネジ穴の深さによって制限されるので、鍵からウィッペンまで離間距離が大きくなると、キャプスタンボタンを回転させるだけではキャプスタンボタンをウィッペンに当接させることができなくなり、スクリュー棒を長さが長いものに変えなければならなかった。
【０００５】
また、特許文献１に記載されたキャプスタンのように、プレートを塑性変形させることによって、鍵の上面からウィッペンとの当接部までの距離を調整する構成によれば、キャプスタンの当接部を精度良くウィッペンに当接させるためには、プレートを塑性変形させる作業が容易ではなく、且つ、繰り返してプレートを変形させると、プレートの強度を損なう虞があった。
【０００６】
そこで、本発明は、鍵からウィッペンまで離間距離が大きくても、キャプスタンを構成する部材を変更することなく、キャプスタンがウィッペンに当接して鍵の動作が伝達されるように、鍵からウィッペンの頂部までの長さを容易に調整できるピアノのアクションを提供する。
【課題を解決するための手段】
【０００７】
かかる目的を達成するためになされた請求項１記載の発明は、複数の鍵が揺動する支点を境に演奏側とは反対側において、各鍵毎に固定され鍵とともに揺動するキャプスタンと、キャプスタンの上部に配設され、キャプスタンに突き上げられてハンマーを回動させるウィッペンとを備え、該ハンマーによって弦を打弦するピアノのアクションであって、前記キャプスタンは、前記鍵に固定されて立設する立設部材と、該立設部材の上部に付設されて前記ウィッペンに当接する当接部材とを備え、前記鍵から前記当接部材までの立設部材の長さを調整できる長さ調整手段を備えることを特徴とする。
【０００８】
請求項１に記載のピアノのアクションによれば、キャプスタンは、鍵に固定されて立設する立設部材と、立設部材の上部に付設されてウィッペンに当接する当接部材とを備え、鍵から当接部材までの立設部材の長さを調整できる長さ調整手段を備えているので、鍵からウィッペンまで離間距離が大きくても、キャプスタンを構成する部材を変更することなく、キャプスタンがウィッペンに当接して鍵の動作が伝達されるように、鍵からキャプスタンの当接部材までの立設部材の長さを容易に調整できる。また、鍵からウィッペンまで離間距離が大きくても、鍵からキャプスタンの当接部材までの距離を容易に調整できるので、ピアノの下端から鍵までの高さが異なり鍵からウィッペンまで離間距離が異なる種々のピアノや、ピアノの下端からアクションまでの高さが異なり鍵からウィッペンまで離間距離が異なる種々のピアノ等においても、共通のキャプスタンを用いることができる。
【０００９】
また、請求項１に記載のピアノのアクションは、請求項２に記載の発明のように、前記立設部材は、断面円形の長尺部材からなり、外周面には当該立設部材の長さ方向に沿って形成されたネジ部を有し、しかも、該ネジ部に螺合したナットを介して前記鍵に固定されており、前記長さ調整手段は、前記ナットと前記立設部材との螺合位置を変えることにより、該鍵から前記当接部材までの該立設部材の長さを調整できるように構成すればよい。また、特許文献１に記載の技術に比較すると、本ピアノのアクションは、鍵から当接部材までの立設部材の長さを調整する際に、ウィッペンとの当接部を塑性変形させる必要がないので、キャプスタンの強度を損なうことなく、鍵から当接部材までの立設部材の長さを精度よく容易に調整できる。
【００１０】
次に、請求項３に記載の発明は、請求項１又は請求項２に記載のアクションにおいて、
前記当接部材と前記鍵との間には、前記立設部材が挿通する貫通孔を備えたガイド板が配置され、前記立設部材が前記ガイド板の前記貫通孔に挿通されることにより、前記当接部材が前記ウィッペンに対して位置決めされていることを特徴とする。
【００１１】
請求項３に記載のピアノのアクションによれば、当接部材と鍵との間には、立設部材が挿通する貫通孔を備えたガイド板が配置され、立設部材が前記ガイド板の前記貫通孔に挿通されることにより、当接部材がウィッペンに対して位置決めされているので、鍵からウィッペンまでの離間距離が大きく当接部材とウィペンとの位置がずれ易くなっても、当接部材がウィッペンに対してずれないように、当接部材の位置を精度良く維持できる。
【００１２】
また、請求項３に記載のピアノのアクションは、請求項４に記載のピアノのアクションのように、前記立設部材は、曲げ方向に弾性を有するフレキシブルケーブルで構成されることにより、立設部材がガイド板の貫通孔に挿通されて曲げられ変位しても、立設部材の塑性変形を防止でき強度を維持できる。
【発明を実施するための最良の形態】
【００１３】
以下、本発明の一実施例を図面と共に説明する。図１は、本発明のピアノのアクションが適用されたアップライピアノのアクションの構成を表す側面図、図２は同実施例のアップライピアノのアクションにおける、立設部材の長さ調整機構の構成を表す斜視図、図３は、図２の長さ調整機構の変形例を表す斜視図である。
【００１４】
図１において、鍵６は、ピアノ１台あたり８８鍵設置され、棚板３０上に設置された筬中３３を支点に揺動できるように設置されている。この鍵３は図１中記載の演奏側を押鍵すると鍵６の演奏側の反対側が上昇して、その押鍵動作をアクション１に伝達する。
【００１５】
アクション１は、鍵６が押されると上昇するキャプスタン７、ウィッペンフレンジ９を介してセンターレール１０に回動可能に支持され、キャプスタン７の上昇によって上向きに回動するウィッペン８、ウィッペン８にジャックフレンジ１１を介して回動可能に支持され、ウィッペン８と共に上昇するジャック１２、ジャック１２に対して当接及び離間すると共にセンターレール１０にパットフレンジ１３を介して回動可能に支持されるバット１４、バット１４に連結され、バット１４がジャック１２により突き上げられると反時計回りに回動するハンマーシャンク３ａ、ハンマーシャンク３ａの先端に装着されたハンマーヘッド３ｂ、ハンマーシャンク３ａを介して弦２と反対側方向に配設され、打弦後に揺りもどしたハンマーシャンク３ａに緩衝材１６を介して当接しハンマ−３の回動を停止させるハンマーレール１７等を備え、キャプスタン７を介して演奏者の押鍵動作が伝達されると、ハンマー３を回動して弦２を打弦する。
【００１６】
また、アクション１は、鍵６に固定されて立設する立設部材７ａと立設部材７ａの上部に付設されてウィッペン８に当接する当接部材７ｂとによってキャプスタン７が構成され、鍵６から当接部材７ｂまでの立設部材７ａの長さを調整できる長さ調整機構２０を備えている。尚、本発明の長さ調整手段は長さ調整機構２０によってその機能が発現される。
【００１７】
図２に表したように、立設部材７ａは、断面円形の長尺部材からなり、外周面には立設部材７ａの長さ方向に沿って形成されたネジ部７ｃを有し、上部に当接部材７ｂが螺合して付設されている。
【００１８】
また、立設部材７ａは、固定板２１の形成された貫通孔２４ａに挿通され、固定板２４ａの上下に配設された一対のナット２２、２３に螺合している。尚、固定板２４の他端側はネジ３４によって鍵６に固定されている。そして、立設部材７ａは、固定板２１を一対のナット２２、２３によって上下に締め付けると、ナット２２、２３及び固定板２１を介して鍵６に固定される。
【００１９】
また、立設部材７ａは、図１に表したように、鍵６の端部６ａの外側に配設され、棚板３０に形成された貫通孔３０ａを介して棚板３０の下方に延出している。
そして、長さ調整機構２０は、図２に表したように、ナット２２、２３と立設部材７ａとの螺合位置を変えることにと、鍵６から当接部材７ｂまでの立設部材７ａの長さを調整できるように構成されている。
【００２０】
また、当接部材７ｂと鍵６との間には、立設部材７ａが挿通する貫通孔２４ａが形成されたガイド板２４が配置され、立設部材７ａが貫通孔２４ａに挿通されることにより、当接部材７ｂがウィッペン８に対して位置決めされている。また、立設部材７ａは、ガイド板２４の貫通孔２４ａに挿通されて位置決めされる際に、曲げられて変位しても塑性変形が生じないように、弾性を有するバネ鋼などのフレキシブルケーブルで形成されている。尚、ガイド板２４の両側方はピアノ本体に固定されたブラケット３１に固定されている
次に、ウィッペン７は、次の手順によって鍵６に固定される。
【００２１】
まず、ガイド板２４はブラケット３１を介してピアノ本体に固定され、固定板２１はネジ３４によって鍵６に固定される。
次いで、ナット２３の上方に延出するように立設部材７ａにナット２３を螺合させ、その後、立設部材７ａを上部から固定板２１の貫通孔２１ｄに挿通させ、固定板２１の上方から立設部材７ａにナット２２を螺合させる。
【００２２】
次いで、立設部材７ａの上部をガイド板２４の貫通孔２４ａに挿通させた後、立設部材７ａの上部に当接部材７ｂを螺合させる。次いで、当接部材７ｂの頂部がウィッペン８に当接した位置で、一対のナット２２、２３を固定板２１に当接するように締め付けて、立設部材７ａを鍵６に固定する。その後、当接部材７ｂを回転し、当接部材７ｂの頂部が確実にウィッペン８に当接しているか否かを確認し、当接が不十分なら、当接部材７ｂを立設部材７ａに対して回転させ、当接部材７ａを上下に移動させて当接を確実なものとすればよい。
【００２３】
また、立設部材７ａを鍵６に固定した後に、鍵６から当接部材７ｂまでの立設部材７ａの長さを調整する際には、一対のナット２２、２３を緩め、立設部材７ａを固定板２１に対して上下に移動させ、所定の長さが得られた位置で、再度、一対のナット２２、２３を締め付けて、立設部材７ａを鍵６に固定すればよい。
【００２４】
以下に、前記の構成を有する実施例の、ピアノのアクション１の作用効果を記載する。
実施例に記載のピアノのアクション１によれば、キャプスタン７は、鍵６に固定されて立設する立設部材７ａと、立設部材７ａの上部に付設されてウィッペン８に当接する当接部材７ｂとを備え、鍵６から当接部材７ｂまでの立設部材７ａの長さを調整できる長さ調整機構２０を備えているので、鍵６からウィッペン８まで離間距離が大きくても、キャプスタン７を構成する部材を変更することなく、キャプスタン７がウィッペン８に当接して鍵６の動作がアクション１伝達されるように、鍵６から当接部材７ｂまでの立設部材７ａの長さを容易に調整できる。また、鍵６からウィッペン８まで離間距離が大きくても、鍵６からウィッペン７の当接部材７ｂまでの立設部材７ａの長さを調整できるので、ピアノの下端から鍵６までの高さが異なり鍵６からウィッペン８まで離間距離が異なる種々のピアノや、ピアノの下端からアクション１までの高さが異なり鍵６からウィッペン８まで離間距離が異なる種々のピアノ等においても、共通のキャプスタン７を用いることができる。
【００２５】
また、実施例に記載のピアノのアクション１によれば、立設部材７ａは、断面円形の長尺部材からなり、外周面には立設部材７ａの長さ方向に沿って形成されたネジ部７ｃを有し、しかも、ネジ部７ｃに螺合したナット２２、２３を介して鍵６に固定されており、長さ調整機構２０は、ナット２２、２３と立設部材７ａとの螺合位置を変えることにより、鍵６から当接部材７ｂまでの立設部材７ａの長さを調整できる。
【００２６】
また、実施例に記載のピアノのアクション１によれば、立設部材７ａがガイド板２４の貫通孔２４ａに挿通されることにより、当接部材７ａがウィッペン８に対して位置決めされるように構成されているので、鍵６からウィッペン８までの離間距離が大きく当接部材７ａとウィッペン８との位置がずれ易くなっても、当接部材７ｂがウィッペン８に対してずれないように、当接部材７ａの位置を精度良く維持できる。
【００２７】
また、実施例に記載のピアノのアクション１によれば、立設部材７ａは、曲げ方向に弾性を有するフレキシブルケーブルで構成されているので、立設部材７ａがガイド板２４の貫通孔１４ａに挿通されて曲げられ変位しても、立設部材７ａの塑性変形を防止でき強度を維持できる
以上、本発明の実施例について説明したが、本発明は、上述した実施例に限定されるものではなく、種々の態様を取ることができる。
【００２８】
例えば、図３に表したように、立設部材７ａを鍵３と重なる位置に配設し、鍵６に貫通孔６ｂを形成し、鍵６に形成された貫通孔６ｂ及び棚板３０に形成された貫通孔３０ａ（図１の棚板３０及び貫通孔３０ａである）を介して立設部材７ａを下方に延出させ、ナット２２、２３を鍵６に当接するように締め付け、立設部材７ａを鍵６に固定してもよい。
【００２９】
また、実施例１におけるガイド板２４に形成した貫通孔２４ａの形状は、丸孔に限定されることなく、鍵６の長さ方向に沿って長孔状に形成してもよい。
また、ガイド板２４を、ブラケット３１に対して、鍵６の長さ方向に移動させて固定できるように構成し、ガイド板２４を鍵６の長さ方向に移動させることにより当接部材７ａの位置を鍵６の長さ方向に移動させ、アクション１の作動動作を調整できるようにしてもよい。
【００３０】
また、実施例１において、棚板３０の貫通孔３０ａを介して立設部材７ａを下方に延出させたが、棚板３０下方の立設部材７ａの長さ分が不要ならば、棚板３０下方の立設部材７ａを切断してもよい。
【図面の簡単な説明】
【００３１】
【図１】本発明のピアノのアクションが適用されたアップライピアノのアクションの構成を表す側面図である。
【図２】同実施例のアップライピアノのアクションにおける、立設部材の長さ調整機構の構成を表す斜視図である。
【図３】図２の長さ調整機構の変形例を表す斜視図である。
【符号の説明】
【００３２】
１…アクション、２…弦、３…ハンマー、３ａ…ハンマーシャンク、３ｂ…ハンマーヘッド、６…鍵、６ｂ，２４ａ，３０ａ…貫通孔、７…キャプスタン、７ａ…立設部材、７ｂ…当接部材、７ｃ…ネジ部、８…ウィッペン、９…ウィッペンフレンジ、１０…センターレール、９…キャプスタンワイヤー、１１…ジャックフレンジ、１２…ジャック、１３…パットフレンジ、１４…バット、１６…緩衝材、１７…ハンマーレール、２０…長さ調整機構、２１…固定板、２１ａ…一端側、２１ｂ…他端側、２２，２３…ナット、２４…ガイド板、３０…棚板、３１…ブラケット、３３…筬中、３４…ネジ。
【図１】
2005091588.tif 000003
【図２】
2005091588.tif 000004
【図３】
2005091588.tif 000005